(57)【特許請求の範囲】
【請求項１】
ブロック状の基盤に少なくとも１本の柱体を立設した骨格構造体に、海藻種苗を担持基体に担持させた海藻種苗担持具を、柱体の外周面に取り付けてなる藻場造成用構造物において、前記海藻種苗担持具は、柱体外周面の所定位置に固着した係止体にその担持基体を介して係着されるものであって、前記係止体および前記担持基体が略環状に形成され、各々に設けられている互いに掛合可能な掛合部を介して担持基体が係止体に積層状態で係着されることを特徴とする藻場造成用構造物。
【請求項２】
ブロック状の基盤に少なくとも１本の柱体を立設した骨格構造体に、海藻種苗を担持基体に担持させた海藻種苗担持具を、柱体の外周面に取り付けてなる藻場造成用構造物において、前記海藻種苗担持具は、柱体外周面の所定位置に固着した係止体にその担持基体を介して係着されるものであって、前記係止体および前記担持基体が一対で環状体を構成し、各々に設けられている互いに掛合可能な掛合部を介して担持基体が係止体に環状状態で係着されることを特徴とする藻場造成用構造物。
【請求項３】
ブロック状の基盤に少なくとも１本の柱体を立設した骨格構造体に、海藻種苗を担持基体に担持させた海藻種苗担持具を、柱体の外周面に取り付けてなる藻場造成用構造物において、前記海藻種苗担持具は、予め所定位置を残して養藻塗料を外周面に塗布した柱体の当該非塗布部に取り付けられることを特徴とする藻場造成用構造物。
【発明の詳細な説明】
【０００１】
【発明の属する技術分野】
本発明は、海藻類を中心とする藻場（海中林ともいう）を造成し、魚介類の繁殖をもたらすべく海中環境を改善するための技術に係り、立体的で永続性のある藻場の形成が可能な藻場造成用構造物に関する。詳しくは、海中において略鉛直方向に配設される柱状部を備え、海藻の着生床としても機能し得るコンクリートブロックなどの構造体（本明細書において「骨格構造体」と称する。）と、この骨格構造体に移植用海藻を取り付けるための海藻種苗担持具とを備え、特に海藻種苗担持具を柱状部の定められた位置に確実に取り付けることができるものである。
【０００２】
【従来の技術】
現在、我国においては沿岸漁業の振興が重要な課題であり、魚介類、海藻類の増殖および養殖が図られている。しかるに、沿岸部においては種々の原因によって藻場が消滅し、藻場を生活の場としている魚介類が激減する、いわゆる「磯焼け」と呼ばれる現象が各地に拡大している。
【０００３】
一般に、海藻は比較的浅い海底の岩石表面に着生して繁殖する。ところが、磯焼け海域では近くに母藻が存在しないため胞子の供給源がないことや、岩石が石灰藻で覆われ、海藻が着生し難いこと等により生育環境がきわめて悪い。また、砂泥質の海域では海藻の生育は元々困難である。したがって、このような磯焼け海域での藻場の再生や砂泥海域での藻場造りにおいては、海藻の移植を図ることが重要である。
【０００４】
従来、藻場の造成方法としては、海中に種々の工夫を施した構造体を設置し、その構造体に海藻が自然着生するのを待って造成する方法などが知られている。しかしながら、これら従来方法は、自然着生に依存するため、特に重要な造成初期における海藻の着生状態が不確定な自然的要素によって大きく左右されるばかりか、造成に時間がかかるといった造成効率や確実性の点において根本的な問題があった。
【０００５】
近年、ワカメ養殖で用いられている種苗糸と呼ばれる細い撚糸に予め造成用海藻の幼体を着生させ、この種苗糸をコンクリートブロック等からなる造成用構造物の適宜位置にそのまま巻き付けて海中に沈設することにより、その海藻種苗を核として造成用構造物の表面に海藻を着生させようとする試みがなされている。しかしながら、この従来方法は、造成用構造物に対する前記種苗糸の取付作業が難しいばかりかその取付状態が不安定であり、海中に設置済みの造成用構造物に対して適用することはほとんど困難であった。また、沈設後において種苗糸の取付状態に少しでも問題があると、細い糸状で形状的に不安定な種苗糸は、その問題個所から取付状態の悪化が拡大し、簡単に脱落してしまうといった欠点があった。特に、種苗糸自体の強度がほとんどないために海藻種苗をごく小さな幼体の状態で取り扱わなければならず、移植後において順調に着生しないことが多く、造成の成功率が低いものであった。このため、海藻種苗の移植手段として、上記のように種苗糸をそのまま適用する方法には多くの問題があり、実用化が進んでいないのが実情である。
【０００６】
そこで、本出願人は、合成樹脂等の適度な弾性素材からなるリング状の担持基体に、適宜生育段階の海藻種苗を担持させた海藻種苗担持具を予め用意し、これを移植用海藻として造成用構造物（骨格構造体）の柱状部分の適宜位置に外嵌することにより、当該場所に着生した海藻種苗を基点として藻場造成を行う技術を既に提案している（特開平１０−１３６８１３号、特開２０００−１３９２６７号参照）。この柱状構造の造成用構造物と海藻種苗担持具の組合せによる藻場造成では、台船上での造成用構造物に対する海藻種苗の取付作業が容易になり、しかもその後の取付状態も安定する利点がある。特に、それら移植用海藻が海中においてほぼ鉛直方向に設置される柱状部に固定されることから、海藻種苗の生育の点において従来方法に比べて大幅に改善され、良好な成果が得られている。すなわち、造成用構造物の柱状部に適宜数の海藻種苗担持具を取り付ける形で海底に海藻種苗を導入することにより、海域の単位面積当りの海藻種苗の導入量を大きくすることが可能であり、しかも柱状部には酸素や栄養分が万遍なく行き渡り、また海藻の水深に対する生育条件も充足しやすく、食害や漂砂の影響を受け難いため、造成の成功率はきわめて高いものとなっている。
【０００７】
【発明が解決しようとする課題】
ところで、上記従来技術において、造成用構造物の柱状部分の複数個所にそれぞれ移植用海藻を取り付ける場合には、隣り合う海藻が互いに競合しないように適度な間隔を確保することが重要であり、海藻種苗担持具の取付位置をきちんと管理する必要がある。また、空気中に置かれた海藻種苗は、時間の経過とともにその鮮度が低下し、特に生育段階の初期のものほどその劣化が急激であることから、台船上で移植用海藻を造成用構造物に取り付ける場合は、できる限り短時間で取付作業を済ませ、沈設することが望まれる。海藻種苗担持具の取付に手間取ると、その後の海藻種苗の生育にも大きく影響し、藻場造成の成功率低下が避けられない。したがって、施工に際しては、海藻の取付位置を目視で確認できるように、柱状部の取付予定個所に目印があると好都合である。このような施工上の要請に対して、特開２０００−１３９２６７号公報に開示される藻場造成用構造物では、予め柱体外周面に適度な間隔をあけて複数の環状溝を設け、この環状溝内にリング状の海藻種苗担持具を嵌着する構成を採用したことにより、海藻種苗担持具を柱状部の適正な位置に迅速に取り付けることが可能となっている。しかも、海藻種苗担持具は環状溝内に確実に保持され、海流を受けても位置ずれが生じることはないので、海藻種苗担持具上にある海藻種苗の仮根が順調に伸長し、短期間で柱状部に着生できるものとなっている。
【０００８】
上記従来例では、骨格構造体の一部を構成する柱体の素材として、一般的にはコンクリートや合成樹脂などが使用されるが、その製作には型枠あるいは金型等の柱体の外形形状に合せた適宜の型材が必要である。そして、上記のように外周面の所定位置に複数の環状溝を形成する場合、一般的にはそれら型材の内周面に環状溝形成のための突条部を設けることになる。しかるに、このような加工を施した型材は高価格であるばかりか、周面に何もない柱体を製造する場合に比べて製造工程の複雑化にもつながり、これが骨格構造体の製造コスト上昇の要因の一つとなっている。さらに、環状溝の位置が固定された専用の型材となってしまうことから、藻場造成の対象海域の環境に応じて設定される海藻種苗担持具の取付位置の変更には、基本的に対応することができないという問題点を有している。また、柱体外周面への環状溝の形成は、断面欠損となって柱体の強度低下の原因となることから、その補強手段を考慮する必要があり、それもコスト上昇の一因になっている。
【０００９】
本出願人は、かかる藻場造成用構造物を広く普及させる要件として、低コストであると同時に設計の自由度の高いことが重要であることを踏まえ、改めて細部にわたり鋭意検討した結果、本発明による藻場造成用構造物に想到したのである。すなわち、骨格構造体の柱体外周面に環状溝を設けることなく、海藻種苗担持具を適正な位置に迅速に取り付けることが可能であって、その取付位置の変更に対しても簡単に対応することのできる藻場造成用構造物の提供を目的とするものである。
【００１０】
【課題を解決するための手段】
上記課題を解決するため、請求項１に係る発明では、ブロック状の基盤に少なくとも１本の柱体を立設した骨格構造体に、海藻種苗を担持基体に担持させた海藻種苗担持具を、柱体の外周面に取り付けてなる藻場造成用構造物において、前記海藻種苗担持具が、柱体外周面の所定位置に固着した係止体にその担持基体を介して係着されるものであって、前記係止体および前記担持基体が略環状に形成され、各々に設けられている互いに掛合可能な掛合部を介して担持基体が係止体に積層状態で係着されることを特徴としている。
【００１１】
すなわち、本発明によれば、海藻種苗担持具を取り付けるべき柱体外周面の所定位置に適宜形状の係止体が予め固着されており、この係止体に担持基体を係合させることにより海藻種苗担持具を係着するものであるから、係止体がそのまま取付位置の目印となり、海藻種苗担持具の取付を迅速に行うことができる。さらに、海藻種苗担持具は、柱体表面に固着されている係止体を介して係着されているので、沈設作業中にその位置がずれることはなく、沈設後においても海流等により柱体の周方向あるいは上下方向にずれ動くこともない。このため、海藻種苗担持具上の海藻種苗が短期間で柱体表面の所定の位置に確実に着生する。かかる柱体は、高価な専用型材を使わずに汎用の型材で作ることができるから安価であり、しかも断面欠損がないため強度的にも問題はない。さらに、係止体の固着位置は、柱体外周面上の任意の位置を選択することができるので、設計条件により海藻種苗担持具の取付位置を変更する場合でもその対応が容易である。
【００１２】
また、請求項２に係る発明では、前記係止体と担持基体とが一対で環状体を形成するとともに、各々には互いに掛合可能な掛合部を設け、それら掛合部を介して担持基体が係止体に環状状態で係着されるようにした。いずれの場合においても、それぞれの係止体が海藻種苗担持具を取り付ける際の目印となり、しかも当該係止体により海藻種苗担持具が柱体の所定位置に確実に固定される。
【００１３】
また、本願の請求項３に係る発明によれば、ブロック状の基盤に少なくとも１本の柱体を立設した骨格構造体に、海藻種苗を担持基体に担持させた海藻種苗担持具を、柱体の外周面に取り付けてなる藻場造成用構造物において、前記海藻種苗担持具が、予め所定位置を残して養藻塗料を外周面に塗布した柱体の当該非塗布部に取り付けられることを特徴としている。この場合、柱体外周面の所定位置に存在する非塗布部が、取付位置の目印として機能するので、前記各発明と同様に海藻種苗担持具を迅速かつ確実に柱体の所定位置に取り付けることができる。さらに、柱体表面に取り付けられた海藻種苗は、近くに養藻塗料の塗膜層が存在することにより、それに含まれる栄養成分を吸収して良好に生育し、骨格構造体の全体に海藻が繁茂するようになる。
【００１４】
前記発明における養藻塗料としては、一般の化成肥料を含む塗料でもよいが、その中でも本出願人の提案になる光合成細菌、多孔質粒子を用いた担体および当該光合成細菌の栄養成分からなる水域環境改善用塗料（特開平５−２４７３７８号公報参照）が特に好適である。この塗料を柱体表面に塗布した場合には、海藻類の高い着生率を維持し、かつ海藻の生育に必要な栄養分を長期間にわたり安定的に供給することができるので、藻場造成の核となる海藻種苗を育成する上で好都合である。
【００１５】
【発明の実施の形態】
本発明の実施において、上記各発明で用いる海藻種苗担持具として種々の形態のものを選択することができる。すなわち、海藻種苗担持具とは、適宜の素材、形状からなる担持基体に移植用の海藻種苗を担持させたもので、当該担持基体を介在させた状態で取り扱うことにより、柱体への取付作業が容易になり、さらに取付作業中での海藻種苗の損傷を防止し、施工前の保管も容易になるなど、多くの利点がある。具体的には、例えば海藻種苗の担持基体としてロープやホース等の適度な太さと剛性を有する紐状体を使用し、これに前述の種苗糸を巻き付けるなどして海藻種苗を着生させ、海中において葉状部分が適宜大きさになるまで育成したものがある。この場合、長尺の紐状体の状態で育成したものを柱体の寸法に合わせて適宜長さに分割して使用したり、あるいはそのまま柱体に適用できる長さで育成してもよい。また、これら海藻種苗を着生させた紐状体からなる海藻種苗担持具は、そのままの状態で適用してもよいが、この紐状体を第一の担持基体とし、さらに棒状、帯状、板状等の適宜形状の第二の担持基体と組み合わせて柱体に適用することも可能であり、少なくとも一方に海藻種苗が着生しているこれら二つの担持基体が結合した状態のものも本発明でいう海藻種苗担持具に該当する。そして、柱体外周面の海藻種苗担持具の取付予定位置には、当該担持基体に適合した形状の係止体を予め選択して固着すればよい。すなわち、前者の紐状の担持基体を主体とする海藻種苗担持具の場合には、柱体側の係止体として、例えばＬ型状のものを取付予定位置の周方向に沿って複数個所に固着し、これらに担持基体部分を嵌入して係着することができる。また第二の担持基体を有する海藻種苗担持具にあっては、この第二の担持基体を係着可能な適宜形状の係止体を柱体の所定位置に予め固着し、当該第二の担持基体を介して取り付けることになる。
【００１６】
前記第二の担持基体の具体例としては、合成樹脂等の可撓性材料を用いてＣ字状等の一個所が開放した略環状に形成し、その開放端部間を広げることにより当該柱体に対して横方向からの装着が可能であるもの、また同様な素材を略帯状に形成し、柱体への取付時にその周面に沿わせて環状に湾曲して取り付けるもの、さらに無端状の環として形成され、柱体に対してはその上端部から挿入するものなど、幾つかのタイプがある。ただし、いずれの場合であってもその一部に係止体との係着手段を備えたものとし、当該係着手段により係止される構成とすれば、海藻種苗担持具の固定をより確実なものとすることができ、特に海上での取付作業の迅速化にもつながる。なお、前者の略環状あるいは略帯状のような有端状基体では、素材自身が有する弾性あるいは端部に設けた掛止手段などにより、柱体への取着後もその環状状態を保持し得るものが好適であり、合成樹脂、ゴム、金属などの可撓性素材により形成する。合成樹脂の具体例としては、ポリアミド系樹脂、熱可塑性エラストマー、ポリウレタン、ポリオレフィン系樹脂などが挙げられる。
【００１７】
また、前記紐状の担持基体に海藻種苗を着生させるには、一般にワカメ養殖などにおいて広く行われている方法を応用することができる。例えば、海藻遊走子が浮遊する水槽内にクレモナ（商品名）等の海藻遊走子の付着に適した種苗糸を浸漬してこれに海藻遊走子を付着させて発芽させた後、その種苗糸をそのままロープやホースなどの適度な太さを有する担持基体に螺旋巻きするなどして添着し、これを海中に水平に設置したり吊り下げるなどして、その担持基体に海藻幼体の仮根が付着して移植に耐えうる程度の適宜大きさになるまで育成する。ここで用いる海藻の種類としては、餌料としての利用を主目的とする場合にはアラメ、カジメ、クロメ等のコンブ科海藻が好ましく、その中でも環境に対する適応性が高いツルアラメが特に好適である。もちろんコンブ科海藻に限らずホンダワラ等の他の海藻種でも広く適用が可能である。なお、海藻種苗担持具として使用する際の海藻の大きさは、海藻の種類、施工時期、造成区域の環境等により異なるが、一般的には葉状部の長さが１０ｃｍ程度以上が望ましい。なお、この海藻種苗付きの紐状体を第一の担持基体とし、上記第二の担持基体に結合して使用する場合には、第二の担持基体の長手方向に沿わせたり、あるいは所々に設けてもよく、長尺の紐状体の状態で海中にて育成したものを、必要な時に適宜長さに切断して使用することができる。この場合、海藻種苗担持具の状態で育成する必要はないので、海藻種苗担持具の生産に必要なスペースが少なくて済む。なお、第一の担持基体を第二の担持基体に結合するには、例えば第二の担持基体の外周面側に複数の鉤状部を所定間隔で形成してその内部に第一の担持基体を嵌入したり、あるいは別途ファスナーにより両者を結束するようにしてもよい。
【００１８】
さらに、海藻の着生床となる骨格構造体は、例えば平面視十字状、矩形状等の適宜形状のコンクリート基盤に少なくとも１本の柱体を立設したものである。ここの柱体の素材としては、コンクリートの他に金属、木材、合成樹脂等の使用が可能であり、またその断面形状は円形に限らず多角形としたり、その内部を中空状にしてもよい。なお、柱状部の断面形状を多角形とした場合には、前記海藻種苗担持具における担持基体も当然それに適合した形状となる。そして、これら骨格構造体に対する前記海藻種苗担持具の取付作業は、一般的には目的とする海域の台船上で行うことが想定されるが、骨格構造体を沈設した後に海中において行ってもよい。このような場合でも、海藻種苗担持具の取付位置が明確であることから、作業を行う上で好都合である。
【００１９】
【実施例】
以下、図面に基づき本願発明の実施例について説明する。図１および図２は、それぞれ本願発明の第一実施例において骨格構造体の柱体外周面に固着される係止体の平面図と正面図である。図示の係止体１０は、適度な弾性を有する合成樹脂により開閉可能なリングとして形成された帯状本体１１からなり、その一端部分に鉤状突起１２が形成され、他端側には前記鉤状突起１２と掛合して環状に連結保持するための掛止孔１３が形成されている。この場合、帯状本体１１の長さは、連結状態としたときに後述する骨格構造体の柱状部の外径に略一致する寸法に設定されている。さらに、両端の鉤状突起１２と掛止孔１３の近くには同様な形状の鉤状突起１４がそれぞれ設けられるとともに、帯状本体１１の一方の周端面側の３個所にほぼ等間隔で突出片１５が一体に形成されている。このうちの一つは、鉤状突起１２に対してリング中心を挟んだ向側の位置となっている。また、帯状本体１１の他方の周端面側には、突出片１５間の中間位置にそれよりも突出長の少ない二個の突出片１６が設けられている。
【００２０】
次に、図３および図４は、それぞれ本願発明の第一実施例において用いる海藻種苗担持具を後述する第一の担持基体と一体となって形成する第二の担持基体の平面図と正面図である。この第二の担持基体２０は、弾性を有する合成樹脂により略Ｃ字状のリングとして形成され、帯状本体２１の外側面の５個所に紐状の第一の担持基体を掛止するための略Ｌ字状の受部２２が突設されている。この受部２２の先端の内側には突起２３が形成されるとともに、この突起２３に対向するように帯状本体２１の外周面にも軸心方向に突条２４が設けられている。また、帯状本体２１の中間部分の２個所に略Ｕ字状の膨出部２５が外側に向けて突設され、帯状本体２１の受部２２の内面側には軸心方向に向けて５個の突起２６が形成されている。そして、帯状本体２１のそれぞれの端部近傍には一対の把手２７が突設され、さらにそれよりも端部に近い位置には、上記係止体１０の２個の鉤状突起１４と掛合可能な掛止孔２８が形成されている。なお、帯状本体２１の３個所に連結手段２９として軸心方向に貫通孔が穿設され、当該貫通孔に適宜の線材を挿通することにより、その複数を積み重ねて連結するときに利用される。このように連結すれば嵩張らないので、海藻種苗担持具とした状態での運搬や一時保管の際に好都合である。
【００２１】
図５は、本願発明による藻場造成用構造物の第一実施例で使用する海藻種苗担持具の平面図である。図示の海藻種苗担持具１は、幼体以上の大きさの海藻種苗３１が着生した紐状の第一の担持基体３０が、上記第二の担持基体２０の外周面に沿って添着された構成となっている。この第一の担持基体３０は、第二の担持基体２０の周長に近い長さのロープであり、その表面に海藻種苗３１を着生させるには、公知の海藻養殖方法を利用することができる。例えば、水槽内で採苗した種苗糸（図示せず）を長尺のロープの表面に巻き付けるなどして固定し、この状態で海中において必要な大きさになるまで育成する。そして、第二の担持基体２０の周長に応じて適宜の長さに分割する方法が効率的である。このようにして得られる海藻種苗付きの第一の担持基体３０は、湾曲させながら第二の担持基体２０の５個所の受部２２にその開口部側から嵌入すると、受部２２の開口部付近にある突起２３により確実に掛止され、両者が一体のものとして取り扱うことができる。
【００２２】
図６は、上記海藻種苗担持具１を骨格構造体２に取付中の状態を示す本発明による藻場造成用構造物の正面図である。この骨格構造体２は、コンクリートから形成された略十字状の基盤３に、同様な素材からなる円形の柱体４を十字の４個所の突出部分にそれぞれ１本ずつ立設したものである。各柱体４の外周面には、係止体１０（図１、図２参照）が一定の間隔でそれぞれ５個ずつ所定の位置に予め固着されている。これらの係止体１０は、帯状本体１１の両端部を弾性に抗して拡げ、その間から柱体４の所定位置に外嵌し、鉤状突起１２を掛止孔１３に掛合して環状に結合する。この際、柱体４と帯状本体１１の間には接着剤を介在させることにより確実に固着することができる。そして、海藻種苗担持具１を各係止体１０に係着することにより、本発明による藻場造成用構造物が得られる。なお、図６において柱体４に対する係止体１０の固着位置は、各柱体４でそれぞれ帯状本体１１の両端の結合部分が十字の中心に対して反対側の位置にくるようにほぼ一直線上に揃えられているが、これとは逆に結合部分が十字の中心に向くようにすれば、海藻種苗担持具１を取り付ける場合に、基盤３の上面の中央に脚立等を置いて作業をする際に各柱体４に対する取付位置が近くなり、柱体４との距離によっては各柱体４毎にその都度上り下りする必要がなくなるので好都合である。
【００２３】
図７は、海藻種苗担持具１の取付状態の要部を示す横断面図である。ここで、海藻種苗担持具１は、柱体４の外周面に固着されている前記係止体１０に外側から重ねられ、この状態で第二の担持基体２０における掛合部としての掛止孔２８と係止体１０で掛合部となる鉤状突起１４とを掛合することにより確実に固定される。なお、具体的な取付手順について図６も参照しながら説明すると、作業者は係止体１０の両端の結合部分に向って位置する。次に、手に持った海藻種苗担持具１を柱体４の背面側において第二の担持基体２０の開放端側を拡げ、この状態で背面側から柱体４に外嵌し、係止体１０に重ねる。この際、係止体１０の結合部分の反対側に位置している突出片１５は、係着前の海藻種苗担持具１を支えることができるので、特に海藻種苗３１が大きい場合には作業者の負担の軽減に役立つ。そして、上記のように第二の担持基体２０の掛止孔２８を係止体１０の鉤状突起１４に掛合すれば、周方向および上下方向のいずれの方向にも動くことはなく、確実に固定される。なお、係止体１０に設けられた二個の突出片１６は、前記突出片１５との間に海藻種苗担持具１を挟持することにより、上下方向の動きを規制するためのものである。
【００２４】
このように、本発明による藻場造成用構造物においては、予め海藻種苗担持具１の取付予定位置にその目印となる係止体１０が固着されているので、作業者は迷うことなく迅速かつ確実に海藻種苗担持具１を適正な位置に取り付けることができる。したがって、海上で取付作業を行う場合においては、移植用の海藻種苗３１に与えるダメージが少なく、藻場造成の成功率向上につながる。因みに骨格構造体２における柱体４の長さは４ｍ前後であり、その場合に１本あたりの柱体４に取り付ける海藻種苗担持具１は７個前後が好適であるが、設置場所の水深、使用する海藻種苗の種類等によっては適宜変更する。さらに、基盤３の上面側の稜部や柱体４の外周面に養藻塗料を塗布してもよい。
【００２５】
なお、図８および図９は比較例を例示したもので、図８はその係止体の斜視図を示し、図９は当該係止体に対する海藻種苗担持具の取付状態の要部を示す横断面図である。ここで使用する係止体４０は、固着すべき柱体４の曲面に適合した湾曲板の表面に２個の鉤状突起４１が突設された形状をなし、接着剤を介して柱体４の所定位置に固着する場合を比較例として示したものである。
【００２６】
上記実施例では、係止体１０が海藻種苗担持具１の取付位置の目印としての役割に加え、柱体４に対する海藻種苗担持具１の固定をより強固にするための手段としても機能している。かかる藻場造成用構造物の施工においては、傷みやすい海藻種苗をいかに手早く柱体の所定位置に取り付けて沈設するかが、藻場造成の成功率を左右する重要な技術的事項である。したがって、係止体を使用することなく、海藻種苗担持具のみでも固定できる構造であれば、柱体の外周面にその取付位置を明示するだけでも、これに対応することができる。
【００２７】
図１０は、本願発明による藻場造成用構造物の第二の実施例であって、係止体を使用しない事例である。すなわち、基盤３に立設される柱体４の外周面には、海藻種苗担持具５の取付予定位置を除き、養藻塗料からなる塗膜６が被覆され、海藻種苗担持具５は、養藻塗料が塗られていない非塗布部７を目印として取り付けられている。なお、図１１は非塗布部７の形成方法を示したもので、柱体４の所定の位置に予めマスキングテープ８を巻き付け、これに適宜スプレーガン９等を用いて外周面全体に養藻塗料Ｐを塗布した後、マスキングテープ８を除去すると非塗布部７が形成される。この場合も前記実施例と同様に柱体４の表面には目印が存在することから、海藻種苗担持具５を適正な位置に迅速に取り付けることができる。ここで使用する海藻種苗担持具５において、その担持基体５１は、図に明示しないが前記実施例で用いた海藻種苗担持具１における第二の担持基体２０を改変したものである。すなわち、一端側の掛止孔２８に代えて鉤状突起を設け、それを他端側の掛止孔２８と掛合させることにより、自らが環状に連結できるもので、その他の部位の形状および海藻種苗３１を着生させた第一の担持基体３０を用いる点は同様である。したがって、適度な弾性を有する素材からなる第二の担持基体５１の２個所に設けられた略Ｕ字状の膨出部の存在により、柱体４に対して弾発的に嵌着されることから、柱体４自体に係止体を設けなくとも所定の位置に確実に固定することができる。
【００２８】
なお、上記各実施例では、海藻種苗３１が着生している第一の担持基体３０を第二の担持基体２０，５１に装着して一体化した形態のものを海藻種苗担持具として適用した場合について説明しているが、両者を分離した状態で取り扱うことも可能である。すなわち、海藻種苗３１を着生させた第一の担持基体３０をそのまま海藻種苗担持具とし、予め柱体４の所定位置に固着した第二の担持基体２０，５１に係着したり、前記第一実施例において、柱体４の所定位置に固着されている係止体１０に対して予め第二の担持基体２０のみを結合させ、沈設直前に前記海藻種苗付きの第一の担持基体３０を海藻種苗担持具として第二の担持基体２０に係着してもよい。また、第二の実施例で使用する第二の担持基体５１を柱体４に固着し、これに第一の担持基体３０を取り付けてもよく、これらの作業手順を選択した場合、第二の担持基体２０，５１は係止体として機能し、同様な効果が得られる。さらに、海藻種苗担持具の骨格構造体への取付時期は、骨格構造体を沈設した後に海中で行ってもよく、この場合でもその取付位置が明確であることから作業性の向上につながる。
【００２９】
また、上記各実施例では、骨格構造体２に立設される複数本の柱体４のすべてに海藻種苗担持具１を取り付けた場合について説明しているが、特に短期間での藻場造成を求めない場合には、複数本の柱体のうちの少なくとも１本に取り付け、そこで成熟した海藻から放出される遊走子を介して周囲に海藻を繁茂させることも可能であり、施工条件によっては海藻種苗担持具を１本の柱体に対して１個としてもよい。さらに、担持基体および係止体を別の素材や形状に変更したり、養藻塗料により海藻種苗担持具の取付位置を明示する場合に非塗布部の形やその形成方法を変更するなど、この発明の技術思想内での種々の変更実施はもちろん可能である。
【００３０】
【発明の効果】
以上説明したように、本願発明の請求項１に係る藻場造成用構造物では、海藻種苗担持具を柱体外周面の所定位置に固着した係止体にその担持基体を係合させて係着する構成としたので、係止体がそのまま取付位置の目印となり、取付作業の迅速化を図ることができる。さらに、柱体表面に固着されている係止体を介して海藻種苗担持具が係着されることにより、柱体の所定位置からずれ動くことがないから、海藻種苗担持具上の海藻種苗が短期間で柱体表面に着生し、それを基点として周囲に海藻を繁茂させる。かかる柱体は、汎用の型材で作られた柱体の表面に、別途製作した係止体を固着すればよいから、高価な専用型材が不要で安価に製造することができ、しかも断面欠損がないので強度面でも問題はない。さらに、係止体の固着位置は、柱体外周面上の任意の位置を選択することができるので、設計条件により海藻種苗担持具の取付位置を変更する場合でもその対応が容易である。
【００３１】
また、請求項２の構成とした場合においても、同様にそれぞれの係止体が海藻種苗担持具を所定位置に取り付ける際の目印となり、柱体表面に固着されている係止体により海藻種苗担持具が柱体の所定位置に確実に固定される。
【００３２】
さらに、本願の請求項３に係る発明によれば、骨格構造体の柱体外周面に、海藻種苗担持具の取付予定位置を残して養藻塗料を塗布し、当該非塗布部を目印として取り付けるものであるから、前記各請求項に係る発明と同様に海藻種苗担持具を迅速に柱体の所定位置に取り付けることができる。特に、この構成によれば、柱体表面に取り付けられた海藻種苗は、すぐ近くに養藻塗料の塗膜層が存在するため、それに含まれる栄養成分を吸収して良好に生育し、短期間での藻場造成を実現する。
【図面の簡単な説明】
【図１】  本願発明による藻場造成用構造物の第一実施例において使用する係止体の平面図である。
【図２】  図１に示す係止体の正面図である。
【図３】  本願発明による藻場造成用構造物の第一実施例において使用する担持基体の平面図である。
【図４】  図３に示す担持基体の正面図である。
【図５】  本願発明による藻場造成用構造物の第一実施例において使用する海藻種苗担持具の平面図である。
【図６】  図５の海藻種苗担持具を取付中の藻場造成用構造物の第一実施例を示す正面図である。
【図７】  図６における海藻種苗担持具の取付状態の要部を示す横断面図である。
【図８】  比較例において使用した係止体を例示した斜視図である。
【図９】  図８の比較例における海藻種苗担持具の取付状態の要部を示した横断面図である。
【図１０】  海藻種苗担持具を取付中の藻場造成用構造物の第二実施例を示す正面図である。
【図１１】  図１０で使用する柱体の塗装状態を示す説明図である。
【図１】
0004386227.tif 000002
【図２】
0004386227.tif 000003
【図３】
0004386227.tif 000004
【図４】
0004386227.tif 000005
【図５】
0004386227.tif 000006
【図６】
0004386227.tif 000007
【図７】
0004386227.tif 000008
【図８】
0004386227.tif 000009
【図９】
0004386227.tif 000010
【図１０】
0004386227.tif 000011
【図１１】
0004386227.tif 000012